(57)【要約】【課題】他の電子機器と連動したコンテンツ提示を可能にするデジタルフォトフレーム、情報処理システム、制御方法、プログラム及び情報記憶媒体の提供。【解決手段】デジタルフォトフレーム３００は、画像を表示する表示部３４０と、提示コンテンツを選択するコンテンツ選択部３１６と、選択された提示コンテンツに基づいて、表示部３４０の表示制御を行う表示制御部３１８と、電子機器４００により出力されるコンテンツに関する情報である機器コンテンツ情報を取得する機器コンテンツ情報取得部３１０を含む。コンテンツ選択部３１６は、取得された機器コンテンツ情報に基づいて、提示コンテンツを選択する。【選択図】図２
2010183159.tif 000002
【特許請求の範囲】
【請求項１】
画像を表示する表示部と、
提示コンテンツを選択するコンテンツ選択部と、
選択された前記提示コンテンツに基づいて、前記表示部の表示制御を行う表示制御部と、
電子機器により出力されるコンテンツに関する情報である機器コンテンツ情報を取得する機器コンテンツ情報取得部とを含み、
前記コンテンツ選択部は、
取得された前記機器コンテンツ情報に基づいて、前記提示コンテンツを選択することを特徴とするデジタルフォトフレーム。
【請求項２】
請求項１において、
前記機器コンテンツ情報取得部は、
前記電子機器により出力される音楽に関する情報である音楽情報を、前記機器コンテンツ情報として取得し、
前記コンテンツ選択部は、
取得された前記音楽情報に基づいて、前記提示コンテンツを選択することを特徴とするデジタルフォトフレーム。
【請求項３】
請求項２において、
前記機器コンテンツ情報取得部は、
前記音楽情報として、曲名、アルバム名、アーティスト名、音楽ジャンル及び曲調の少なくとも１つを取得し、
前記表示制御部は、
前記曲名、前記アルバム名、前記アーティスト名、前記音楽ジャンル及び前記曲調の少なくとも１つに対応する画像を、前記表示部に表示する制御を行うことを特徴とするデジタルフォトフレーム。
【請求項４】
請求項１において、
前記機器コンテンツ情報取得部は、
前記電子機器により出力される放送番組に関する情報である番組情報を、前記機器コンテンツ情報として取得し、
前記コンテンツ選択部は、
取得された前記番組情報に基づいて、前記提示コンテンツを選択することを特徴とするデジタルフォトフレーム。
【請求項５】
請求項４において、
前記機器コンテンツ情報取得部は、
前記番組情報として、番組名、番組のテーマ、番組内容、出演者、番組の広告、及びリアルタイム放送情報の少なくとも１つを取得し、
前記表示制御部は、
前記番組名、前記番組のテーマ、前記番組内容、前記出演者、前記番組の広告、及び前記リアルタイム放送情報の少なくとも１つに対応する画像を、前記表示部に表示する制御を行うことを特徴とするデジタルフォトフレーム。
【請求項６】
請求項１において、
前記機器コンテンツ情報取得部は、
前記電子機器により出力される音声の認識を行うことでキーワード情報を取得し、
前記コンテンツ選択部は、
前記キーワード情報に基づいて、前記提示コンテンツを選択することを特徴とするデジタルフォトフレーム。
【請求項７】
請求項６において、
前記機器コンテンツ情報取得部は、
前記電子機器により出力される放送番組に関する情報である番組情報を取得し、
前記コンテンツ選択部は、
前記番組情報と、前記番組の音声から取得された前記キーワード情報とに基づいて、前記提示コンテンツを選択することを特徴とするデジタルフォトフレーム。
【請求項８】
請求項１乃至７のいずれかにおいて、
周囲音を検知する音センサにより検知された音情報を取得する音情報取得部を含み、
前記機器コンテンツ情報取得部は、
取得された前記音情報に基づいて、前記機器コンテンツ情報を取得することを特徴とするデジタルフォトフレーム。
【請求項９】
請求項８において、
前記コンテンツ選択部は、
前記音センサにより前記音情報が検知されなかった場合には、音非検知用に用意されたコンテンツを選択することを特徴とするデジタルフォトフレーム。
【請求項１０】
請求項１乃至９のいずれかにおいて、
前記電子機器の操作情報を取得する操作情報取得部と、
取得された前記操作情報に基づいて、前記電子機器の特定処理、前記電子機器の動作状態の特定処理、前記電子機器の選曲状態の特定処理、及び前記電子機器の選局状態の特定処理の少なくとも一方を行う機器特定部を含むことを特徴とするデジタルフォトフレーム。
【請求項１１】
請求項１０において、
前記機器コンテンツ情報取得部は、
前記操作情報に基づいて、前記電子機器の前記動作状態がコンテンツ出力状態であると判断された場合に、前記機器コンテンツ情報の取得処理を行うことを特徴とするデジタルフォトフレーム。
【請求項１２】
請求項１０又は１１において、
前記操作情報の履歴である操作履歴情報を記憶する操作情報記憶部を含み、
前記機器特定部は、
前記操作履歴情報に基づいて、前記特定処理を行うことを特徴とするデジタルフォトフレーム。
【請求項１３】
請求項１０乃至１２のいずれかにおいて、
前記操作情報取得部は、
前記電子機器の操作機器が出力する操作信号に基づいて、前記操作情報を取得することを特徴とするデジタルフォトフレーム。
【請求項１４】
請求項１乃至１３のいずれかにおいて、
ユーザ情報を記憶するユーザ情報記憶部を含み、
前記コンテンツ選択部は、
前記ユーザ情報と前記機器コンテンツ情報とに基づいて、前記提示コンテンツを選択することを特徴とするデジタルフォトフレーム。
【請求項１５】
請求項１４において、
ユーザ検知センサにより検知された検知情報を取得する検知情報取得部と、
取得された前記検知情報に基づいて、ユーザの人物認証を行うユーザ状態判断部を含み、
前記コンテンツ選択部は、
前記人物認証により特定されたユーザの前記ユーザ情報を前記ユーザ情報記憶部から取得し、取得された前記ユーザ情報と前記機器コンテンツ情報とに基づいて、前記提示コンテンツを選択することを特徴とするデジタルフォトフレーム。
【請求項１６】
請求項１乃至１５のいずれかにおいて、
前記機器コンテンツ情報取得部は、
前記電子機器により出力される前記コンテンツに基づいて、コンテンツデータベースから前記機器コンテンツ情報を取得することを特徴とするデジタルフォトフレーム。
【請求項１７】
請求項１乃至１６のいずれかにおいて、
前記コンテンツ選択部は、
前記機器コンテンツ情報に基づいて関連コンテンツを取得し、取得された前記関連コンテンツを前記提示コンテンツとして選択することを特徴とするデジタルフォトフレーム。
【請求項１８】
提示コンテンツを選択するコンテンツ選択部と、
選択された前記提示コンテンツに基づいて、デジタルフォトフレームの表示部に表示される画像の表示指示を行う表示指示部と、
電子機器により出力されるコンテンツに関する情報である機器コンテンツ情報を取得する機器コンテンツ情報取得部とを含み、
前記コンテンツ選択部は、
取得された前記機器コンテンツ情報に基づいて、前記提示コンテンツを選択することを特徴とする情報処理システム。
【請求項１９】
デジタフフォトフレームの制御方法であって、
電子機器により出力されるコンテンツに関する情報である機器コンテンツ情報を取得し、
取得された機器コンテンツ情報に基づいて、提示コンテンツを選択し、
選択された前記提示コンテンツに基づいて、デジタルフォトフレームの表示部の表示制御を行うことを特徴とする制御方法。
【請求項２０】
提示コンテンツを選択するコンテンツ選択部と、
選択された前記提示コンテンツに基づいて、デジタルフォトフレームの表示部の表示制御を行う表示制御部と、
電子機器により出力されるコンテンツに関する情報である機器コンテンツ情報を取得する機器コンテンツ情報取得部として、
コンピュータを機能させ、
前記コンテンツ選択部は、
取得された前記機器コンテンツ情報に基づいて、前記提示コンテンツを選択することを特徴とするプログラム。
【請求項２１】
コンピュータ読み取り可能な情報記憶媒体であって、請求項２０に記載のプログラムを記憶したことを特徴とする情報記憶媒体。
【発明の詳細な説明】
【技術分野】
【０００１】
本発明は、デジタルフォトフレーム、情報処理システム、制御方法、プログラム及び情報記憶媒体等に関する。
【背景技術】
【０００２】
近年、デジタルスチルカメラなどのデジタルカメラで撮影した画像を手軽に再生できる装置として、デジタルフォトフレームが脚光を浴びている。このデジタルフォトフレームは、フォトスタンドの写真を入れる部分が液晶ディスプレイに置き換えられた形態の装置であり、メモリカードや通信装置を介して読み込まれたデジタルの画像データ（電子写真）の再生処理を行う。
【０００３】
デジタルフォトフレームの従来技術としては例えば特許文献１に開示される技術がある。この従来技術では、電話回線接続装置を、デジタルフォトフレームであるデジタルフォトスタンドに具備させて、フォトスタンドと有線又は無線の電話回線との間の伝送路の形成を実現している。
【０００４】
しかしながら、これまでのデジタルフォトフレームは、メモリに蓄積された一連の画像を単に再生するだけであり、例えばオーディオ機器や映像機器などの他の電子機器と連動したコンテンツ提示を行うものについては提案されていなかった。
【先行技術文献】
【特許文献】
【０００５】
【特許文献１】特開２０００−３２４４７３号公報
【発明の概要】
【発明が解決しようとする課題】
【０００６】
本発明の幾つかの態様によれば、他の電子機器と連動したコンテンツ提示を可能にするデジタルフォトフレーム、情報処理システム、制御方法、プログラム及び情報記憶媒体を提供できる。
【課題を解決するための手段】
【０００７】
本発明の一態様は、画像を表示する表示部と、提示コンテンツを選択するコンテンツ選択部と、選択された前記提示コンテンツに基づいて、前記表示部の表示制御を行う表示制御部と、電子機器により出力されるコンテンツに関する情報である機器コンテンツ情報を取得する機器コンテンツ情報取得部とを含み、前記コンテンツ選択部は、取得された前記機器コンテンツ情報に基づいて、前記提示コンテンツを選択するデジタルフォトフレームに関係する。
【０００８】
本発明の一態様によれば、電子機器により出力されるコンテンツに関する情報である機器コンテンツ情報が取得され、取得された機器コンテンツ情報に基づいて、提示コンテンツが選択される。そして選択された提示コンテンツに基づいて、表示部の表示制御が行われる。これにより、デジタルフォトフレームの表示部には、機器コンテンツ情報に応じたコンテンツが表示されるようになり、電子機器と連動したコンテンツ提示が可能になる。
【０００９】
また本発明の一態様では、前記機器コンテンツ情報取得部は、前記電子機器により出力される音楽に関する情報である音楽情報を、前記機器コンテンツ情報として取得し、前記コンテンツ選択部は、取得された前記音楽情報に基づいて、前記提示コンテンツを選択してもよい。
【００１０】
このようにすれば、電子機器が音楽を出力すると、その音楽の情報に応じた提示コンテンツがデジタルフォトフレームの表示部に表示されるようになり、電子機器の音楽出力に連動したコンテンツ提示が可能になる。
【００１１】
また本発明の一態様では、前記機器コンテンツ情報取得部は、前記音楽情報として、曲名、アルバム名、アーティスト名、音楽ジャンル及び曲調の少なくとも１つを取得し、前記表示制御部は、前記曲名、前記アルバム名、前記アーティスト名、前記音楽ジャンル及び前記曲調の少なくとも１つに対応する画像を、前記表示部に表示する制御を行ってもよい。
【００１２】
このようにすれば、電子機器が音楽を出力すると、その音楽の曲名、アルバム名、アーティスト名、音楽ジャンル、或いは曲調に対応する画像がデジタルフォトフレームの表示部に表示されるようになる。
【００１３】
また本発明の一態様では、前記機器コンテンツ情報取得部は、前記電子機器により出力される放送番組に関する情報である番組情報を、前記機器コンテンツ情報として取得し、前記コンテンツ選択部は、取得された前記番組情報に基づいて、前記提示コンテンツを選択してもよい。
【００１４】
このようにすれば、電子機器が放送番組を出力すると、その放送番組の情報に応じた提示コンテンツがデジタルフォトフレームの表示部に表示されるようになり、電子機器の放送番組に連動したコンテンツ提示が可能になる。
【００１５】
また本発明の一態様では、前記機器コンテンツ情報取得部は、前記番組情報として、番組名、番組のテーマ、番組内容、出演者、番組の広告、及びリアルタイム放送情報の少なくとも１つを取得し、前記表示制御部は、前記番組名、前記番組のテーマ、前記番組内容、前記出演者、前記番組の広告、及び前記リアルタイム放送情報の少なくとも１つに対応する画像を、前記表示部に表示する制御を行ってもよい。
【００１６】
このようにすれば、電子機器が放送番組を出力すると、その番組名、番組のテーマ、番組内容、出演者、番組の広告、或いはリアルタイム放送情報に対応する画像がデジタルフォトフレームの表示部に表示されるようになる。
【００１７】
また本発明の一態様では、前記機器コンテンツ情報取得部は、前記電子機器により出力される音声の認識を行うことでキーワード情報を取得し、前記コンテンツ選択部は、前記キーワード情報に基づいて、前記提示コンテンツを選択してもよい。
【００１８】
このようにすれば、電子機器により出力される音声のキーワード情報に対応するコンテンツを、デジタルフォトフレームの表示部に表示できるようになる。
【００１９】
また本発明の一態様では、前記機器コンテンツ情報取得部は、前記電子機器により出力される放送番組に関する情報である番組情報を取得し、前記コンテンツ選択部は、前記番組情報と、前記番組の音声から取得された前記キーワード情報とに基づいて、前記提示コンテンツを選択してもよい。
【００２０】
このようにすれば、電子機器により出力される放送番組の情報と、その番組での音声により取得されるキーワード情報の両方により、コンテンツが選択されて提示されるようになる。
【００２１】
また本発明の一態様では、周囲音を検知する音センサにより検知された音情報を取得する音情報取得部を含み、前記機器コンテンツ情報取得部は、取得された前記音情報に基づいて、前記機器コンテンツ情報を取得してもよい。
【００２２】
このようにすれば、音センサにより検知された音情報に基づいて、機器コンテンツ情報を取得し、その機器コンテンツ情報に応じたコンテンツを提示できるようになる。
【００２３】
また本発明の一態様では、前記コンテンツ選択部は、前記音センサにより前記音情報が検知されなかった場合には、音非検知用に用意されたコンテンツを選択してもよい。
【００２４】
このようにすれば、音情報が検知されなかった場合には、音非検知用に用意されたコンテンツを提示し、音情報が検知された場合には、音情報により取得された機器コンテンツ情報に応じたコンテンツを提示できるようになる。
【００２５】
また本発明の一態様では、前記電子機器の操作情報を取得する操作情報取得部と、取得された前記操作情報に基づいて、前記電子機器の特定処理、前記電子機器の動作状態の特定処理、前記電子機器の選曲状態の特定処理、及び前記電子機器の選局状態の特定処理の少なくとも一方を行う機器特定部を含んでもよい。
【００２６】
このようにすれば、電子機器の操作情報に基づいて、電子機器の特定処理や、その動作状態、選曲状態、或いは選局状態の特定処理を行って、機器コンテンツ情報を取得できるようになる。
【００２７】
また本発明の一態様では、前記機器コンテンツ情報取得部は、前記操作情報に基づいて、前記電子機器の前記動作状態がコンテンツ出力状態であると判断された場合に、前記機器コンテンツ情報の取得処理を行ってもよい。
【００２８】
このようにすれば、音センサにより検知された音情報だけを用いる手法に比べて、より正確且つ確実に機器コンテンツ情報を取得できるようになる。
【００２９】
また本発明の一態様では、前記操作情報の履歴である操作履歴情報を記憶する操作情報記憶部を含み、前記機器特定部は、前記操作履歴情報に基づいて、前記特定処理を行ってもよい。
【００３０】
このように操作履歴情報を用いれば、電子機器の現在の状態がどのような状態なのかを、より正確に把握できるようになる。
【００３１】
また本発明の一態様では、前記操作情報取得部は、前記電子機器の操作機器が出力する操作信号に基づいて、前記操作情報を取得してもよい。
【００３２】
このようにすれば、電子機器の操作のために用いられる操作機器の操作信号を有効活用して、電子機器の操作情報を取得できるようになる。
【００３３】
また本発明の一態様では、ユーザ情報を記憶するユーザ情報記憶部を含み、前記コンテンツ選択部は、前記ユーザ情報と前記機器コンテンツ情報とに基づいて、前記提示コンテンツを選択してもよい。
【００３４】
このようにすれば、機器コンテンツ情報のみならずユーザ情報も反映させた提示コンテンツの選択が可能になる。
【００３５】
また本発明の一態様では、ユーザ検知センサにより検知された検知情報を取得する検知情報取得部と、取得された前記検知情報に基づいて、ユーザの人物認証を行うユーザ状態判断部を含み、前記コンテンツ選択部は、前記人物認証により特定されたユーザの前記ユーザ情報を前記ユーザ情報記憶部から取得し、取得された前記ユーザ情報と前記機器コンテンツ情報とに基づいて、前記提示コンテンツを選択してもよい。
【００３６】
このようにすれば、ユーザの人物認証を行ってユーザ情報を取得し、取得されたユーザ情報を反映させた提示コンテンツの選択が可能になる。
【００３７】
また本発明の一態様では、前記機器コンテンツ情報取得部は、前記電子機器により出力される前記コンテンツに基づいて、コンテンツデータベースから前記機器コンテンツ情報を取得してもよい。
【００３８】
このようにすれば、電子機器により出力されるコンテンツをコンテンツデータベースに送ることで、そのコンテンツに対応する機器コンテンツ情報を取得できるようになる。
【００３９】
また本発明の一態様では、前記コンテンツ選択部は、前記機器コンテンツ情報に基づいて関連コンテンツを取得し、取得された前記関連コンテンツを前記提示コンテンツとして選択してもよい。
【００４０】
このようにすれば、機器コンテンツ情報に対応するコンテンツのみならず、電子機器が出力するコンテンツの関連コンテンツをユーザに提示できるようになる。
【００４１】
また本発明の他の態様は、提示コンテンツを選択するコンテンツ選択部と、選択された前記提示コンテンツに基づいて、デジタルフォトフレームの表示部に表示される画像の表示指示を行う表示指示部と、電子機器により出力されるコンテンツに関する情報である機器コンテンツ情報を取得する機器コンテンツ情報取得部とを含み、前記コンテンツ選択部は、取得された前記機器コンテンツ情報に基づいて、前記提示コンテンツを選択する情報処理システムに関係する。
【００４２】
また本発明の他の態様は、デジタフフォトフレームの制御方法であって、電子機器により出力されるコンテンツに関する情報である機器コンテンツ情報を取得し、取得された機器コンテンツ情報に基づいて、提示コンテンツを選択し、選択された前記提示コンテンツに基づいて、デジタルフォトフレームの表示部の表示制御を行う制御方法に関係する。
【００４３】
また本発明の他の態様は、上記各部としてコンピュータを機能させるプログラム、又は該プログラムを記憶したコンピュータ読み取り可能な情報記憶媒体に関係する。
【図面の簡単な説明】
【００４４】
【図１】図１（Ａ）、図１（Ｂ）はデジタルフォトフレームの例を示す図。
【図２】本実施形態のデジタルフォトフレームの構成例。
【図３】図３（Ａ）、図３（Ｂ）は電子機器が出力する音楽の情報に基づくコンテンツを、デジタルフォトフレームにより提示する手法の説明図。
【図４】電子機器が出力する放送番組の情報に基づくコンテンツを、デジタルフォトフレームにより提示する手法の説明図。
【図５】電子機器が出力する放送番組の情報とキーワード情報に基づくコンテンツを、デジタルフォトフレームにより提示する手法の説明図。
【図６】電子機器が出力する放送番組の情報とキーワード情報に基づくコンテンツを、デジタルフォトフレームにより提示する手法の説明図。
【図７】電子機器のリアルタイム放送情報に基づくコンテンツを、デジタルフォトフレームにより提示する手法の説明図。
【図８】図８（Ａ）、図８（Ｂ）はユーザ登録処理についての説明図。
【図９】図９（Ａ）、図９（Ｂ）はユーザ情報と機器コンテンツ情報に基づくコンテンツを、デジタルフォトフレームにより提示する手法の説明図。
【図１０】図１０（Ａ）、図１０（Ｂ）はユーザと表示部との距離の検出手法の説明図。
【図１１】本実施形態の詳細な処理例を説明するためのフローチャート。
【図１２】本実施形態の詳細な処理例を説明するためのフローチャート。
【図１３】本実施形態の詳細な処理例を説明するためのフローチャート。
【図１４】本実施形態の変形例。
【発明を実施するための形態】
【００４５】
以下、本実施形態について説明する。なお、以下に説明する本実施形態は、特許請求の範囲に記載された本発明の内容を不当に限定するものではない。また本実施形態で説明される構成の全てが、本発明の必須構成要件であるとは限らない。
【００４６】
１．構成
図１（Ａ）に本実施形態のデジタルフォトフレーム３００（デジタルフォトプレーヤ、画像再生装置）の例を示す。図１（Ａ）は、いわゆるフォトスタンドタイプのデジタルフォトフレームの例である。このデジタルフォトフレーム３００は、家の中などの任意の場所にユーザにより設置される。そして、デジタルの画像データや音データなどのコンテンツ情報の再生処理（画像再生、音再生）を実行する。デジタルフォトフレーム３００は、例えばユーザの明示的な再生指示がなくても、画像等のコンテンツ情報（メディア情報）を自動的に再生することができる。例えば写真のスライドショーを自動的に実行したり、映像の自動再生を行う。
【００４７】
なお図１（Ａ）はフォトスタンドタイプのデジタルフォトフレームの例であるが、例えば図１（Ｂ）に示すように、壁掛けタイプのものであってもよい。この壁掛けタイプのデジタルフォトフレームとしては、例えば電気泳動型ディスプレイ等により実現される電子ペーパなどを用いることができる。また、デジタルフォトフレーム３００に、コンテンツ情報の再生指示ボタンなどを設けたり、リモコンを用いて再生指示ができるようにしてもよい。
【００４８】
デジタルフォトフレーム３００は、例えばＳＤカード等のメモリカードのインターフェースを備えることができる。或いは、無線ＬＡＮ、ブルートゥースなどの無線通信のインターフェースや、ＵＳＢ等の有線の通信インターフェースを備えることができる。例えばユーザが、メモリカードにコンテンツ情報を保存して、デジタルフォトフレーム３００のメモリカードインターフェースに装着すると、デジタルフォトフレーム３００は、メモリカードに保存されたコンテンツ情報の自動再生（スライドショー等）を実行する。或いは、デジタルフォトフレーム３００は、無線通信や有線通信によりに外部からコンテンツ情報を受信すると、このコンテンツ情報の再生処理（自動再生処理）を実行する。例えば、ユーザが所持するデジタルカメラや携帯電話機などの携帯型電子機器がブルートゥース等の無線機能を有する場合には、この無線機能を利用して、携帯型電子機器からデジタルフォトフレーム３００にコンテンツ情報を転送する。すると、デジタルフォトフレーム３００は、転送されたコンテンツ情報の再生処理を実行する。
【００４９】
図２にデジタルフォトフレーム３００や電子機器４００の構成例を示す。本実施形態では、電子機器４００が出力するコンテンツに連動して、デジタルフォトフレーム３００の表示部３４０に提示コンテンツが表示される構成となっている。
【００５０】
電子機器４００は、処理部４０２、記憶部４２０、表示部４４０、音出力部４４２、センサ４５０、アンテナ４７０を含む。なおこれらの一部の構成要素（例えばアンテナ、表示部）を省略したり、他の構成要素（例えば操作部）を追加するなどの種々の変形実施が可能である。電子機器４００としては、例えばミニコンポや光ディスクプレーヤ（ＣＤプレーヤ）などのオーディオ機器や、テレビなどの映像機器（放送機器）を想定できる。この電子機器４００は、例えばリモコン４６０からの操作信号により遠隔操作が可能になっている。
【００５１】
デジタルフォトフレーム３００は、処理部３０２、記憶部３２０、通信部３３８、表示部３４０、センサ３５０、操作部３６０を含む。なおこれらの一部の構成要素（例えば通信部、操作部、センサ）を省略したり、他の構成要素（例えば音出力部）を追加するなどの種々の変形実施が可能である。
【００５２】
処理部３０２は、各種の制御処理や演算処理を行う。例えばデジタルフォトフレーム３００の各部の制御を行ったり全体的な制御を行う。この処理部３０２の機能は、各種プロセッサ（ＣＰＵ等）、ＡＳＩＣ（ゲートアレイ等）などのハードウェアや、情報記憶媒体３３０に記憶されたプログラムなどにより実現できる。
【００５３】
記憶部３２０は、処理部３０２、通信部３３８などのワーク領域となるものであり、その機能はＲＡＭなどのメモリやＨＤＤ（ハードディスクドライブ）などにより実現できる。この記憶部３２０は、画像や音などのコンテンツ情報を記憶するコンテンツ情報記憶部３２２、音情報記憶部３２３、操作情報記憶部３２４、検知情報記憶部３２５、特定されたユーザ状態やユーザの認識処理の結果を記憶するユーザ状態記憶部３２６、ユーザ情報（ユーザ登録情報、感性モデル）を記憶するユーザ情報記憶部３２８を含む。音情報記憶部３２３、操作情報記憶部３２４、検知情報記憶部３２５は、センサ３５０により取得された音情報、操作情報、ユーザ検知情報を、各々、記憶する。
【００５４】
情報記憶媒体３３０（コンピュータにより読み取り可能な媒体）は、プログラムやデータなどを格納するものであり、その機能は、メモリカードや光ディスクなどにより実現できる。処理部３０２は、情報記憶媒体３３０に格納されるプログラム（データ）に基づいて本実施形態の種々の処理を行う。即ち情報記憶媒体３３０には、本実施形態の各部としてコンピュータ（操作部、処理部、記憶部、出力部を備える装置）を機能させるためのプログラム（各部の処理をコンピュータに実行させるためのプログラム）が記憶される。
【００５５】
通信部３３８（通信インターフェース）は、無線や有線の通信などにより外部デバイス（例えばサーバ、携帯型電子機器）との間で情報のやり取りを行うものであり、その機能は、通信用ＡＳＩＣ又は通信用プロセッサなどのハードウェアや、通信用ファームウェアにより実現できる。
【００５６】
表示部３４０は、コンテンツである画像を表示するためのものであり、例えば液晶ディスプレイや、有機ＥＬなどの発光素子を用いたディスプレイや、電気泳動型ディスプレイなどにより実現できる。なお表示部３４０をタッチパネルディスプレイ（タッチスクリーン）により構成してもよい。
【００５７】
センサ３５０（音センサ、操作信号センサ、ユーザ検知センサ等）は、検知結果に基づいて検知情報を出力するデバイスである。センサ３５０としては、例えば音センサを用いることができる。音センサは音を電気信号等に変換するセンサであり、音の物理量である音圧を測定するマイクロホンなどである。マイクロフォンとしては、ムービング・コイル型やリボン型のダイナミックマイクロフォンや、音声信号の振動による静電容量の変化を検知するコンデンサ型のマイクロフォンや、圧電効果を利用する圧電型のマイクロフォンや、カーボン型のマイクロフォンなどを用いることができる。
【００５８】
またセンサ３５０としては、電子機器４００のリモコン（広義には操作機器、遠隔操作機器）４６０の操作信号を検知する操作信号センサを用いることができる。操作信号センサは、リモコン４６０からの赤外線や電波等を受信して、操作信号を検知するセンサである。この操作信号センサとしては電子機器４００に設けられる操作信号センサと同様のものを用いることができる。
【００５９】
またセンサ３５０としてはユーザ検知センサを用いることができる。ユーザ検知センサとしては、焦電センサなどの人感センサや、ＣＣＤ、ＣＭＯＳセンサなどの撮像センサや、超音波センサなどの距離センサや、ユーザの動作状態（手や体の動き）を検知するモーションセンサなどを用いることができる。
【００６０】
焦電センサは、人等が発生する赤外線を受光し、赤外線を熱に変換し、その熱を素子の焦電効果で電荷に変えるセンサである。この焦電センサを用いることで、検知範囲（検知エリア）にユーザ（人）が存在するか否かや、検知範囲に存在するユーザの動きや、検知範囲内に存在するユーザの人数などを検知できる。撮像センサ（イメージセンサ）は、１次元又は２次元の光学情報を、時系列の電気信号に変換する光センサである。この撮像センサを用いることで、検知範囲にユーザが存在するか否かや、検知範囲に存在するユーザの動きや、検知範囲内に存在するユーザの人数などを検知できる。また撮像センサを用いた顔画像認識により、ユーザの人物認証（年齢認識等）を実現できる。また撮像センサを用いた顔検出により、ユーザと表示部３４０との距離や表示部３４０に対するユーザの視線の角度などの位置関係を検出できる。或いは、ユーザの視野範囲内に表示部３４０が入っている状態か否かや、ユーザが表示部３４０を注視している状態か否かなどのユーザの視認状態を検出できる。或いはユーザが接近中なのか否かなども検出できる。
【００６１】
なおセンサ３５０は、センサデバイス自体であってもよいし、センサデバイスの他に制御部や通信部等を含むセンサ機器であってもよい。また検知情報は、センサから直接得られる１次情報であってもよいし、１次情報を加工処理（情報処理）することで得られる２次情報であってもよい。
【００６２】
またセンサ３５０は、デジタルフォトフレーム３００に直接に取り付けてもよいし、ホームセンサなどをセンサ３５０として利用してもよい。センサ３５０をデジタルフォトフレーム３００に取り付ける場合には、図１（Ａ）に示すように、センサ３５０をデジタルフォトフレーム３００の例えば枠の部分に取り付けることができる。或いは有線のケーブル等を用いてセンサ３５０とデジタルフォトフレーム３００を接続する形態にしてもよい。
【００６３】
操作部３６０は、ユーザが各種情報を入力するためのものであり、例えば操作ボタンやリモコンなどにより実現できる。ユーザは、この操作部３６０や、表示部３４０であるタッチパネルディスプレイを用いて、ユーザ登録を行ったり、自身が所望する再生コンテンツ（お気に入り画像）の登録などを行うことができる。例えばユーザは、操作部３６０等を用いて、ユーザ登録情報を入力することができる。
【００６４】
処理部３０２は、音情報取得部３０４、操作情報取得部３０６、検知情報取得部３０８、機器コンテンツ情報取得部３１０、機器特定部３１１、ユーザ状態判断部３１２、登録処理部３１４、コンテンツ選択部３１６、表示制御部３１８を含む。なお、これらの一部の構成要素を省略したり、他の構成要素を追加するなどの種々の変形実施が可能である。
【００６５】
音情報取得部３０４は、センサ３５０である音センサにより検知された音情報を取得する処理を行う。例えば音センサにより音楽や音声等の音が検知されて、検知結果である音情報が出力されると、音情報取得部３０４は、その音情報を取り込む。そして取り込まれた音情報は記憶部３２０の音情報記憶部３２３に記憶される。同様に、操作情報取得部３０６は、操作信号センサによりリモコン４６０の操作信号が検知されて、検知結果である操作情報が出力されると、その操作情報を取り込む。また検知情報取得部３０８は、ユーザ検知センサによりユーザ状態等が検知されて、検知結果である検知情報（撮像情報等）が出力されると、その検知情報を取り込む。そして、取り込まれた操作情報や検知情報は操作情報記憶部３２４、検知情報記憶部３２５に記憶される。
【００６６】
機器コンテンツ情報取得部３１０は、電子機器４００により出力されるコンテンツ（音楽、番組等）に関する情報である機器コンテンツ情報（出力コンテンツ情報）を取得する処理を行う。
【００６７】
例えば機器コンテンツ情報取得部３１０は、電子機器４００例えばオーディオ機器により出力される音楽に関する情報である音楽情報を、機器コンテンツ情報として取得する。具体的には、例えば音センサにより検知された音楽情報から、電子機器４００が出力している音楽データが取得されたとする。この場合には、機器コンテンツ情報取得部３１０は、取得された音楽データを、外部のコンテンツデータベースサーバ５００に送信する。するとコンテンツデータベースサーバ５００は、音楽データと、音楽情報データベース５０２に登録されている音楽データとのマッチング処理等を行い、例えば音楽の曲名、アルバム名、アーティスト名、音楽ジャンル、及び曲調の少なくとも１つである音楽情報を返信する。そして機器コンテンツ情報取得部３１０は、返信された音楽情報をコンテンツデータベースサーバ５００から受信することで、音楽情報を取得する。
【００６８】
また機器コンテンツ情報取得部３１０は、電子機器４００（例えばテレビ等の映像機器、放送機器）により出力される放送番組に関する情報である番組情報を取得する。具体的には機器コンテンツ情報取得部３１０は、例えば操作情報取得部３０６により取得されたリモコン４６０の操作情報等に基づいて放送チャンネル等を取得する。そして、機器コンテンツ情報取得部３１０は、取得された放送チャンネル等を、外部のコンテンツデータベースサーバ５００に送信する。するとコンテンツデータベースサーバ５００は、番組情報データベース５０４から番組名、番組のテーマ、番組内容、出演者、番組の広告、及びリアルタイム放送情報の少なくとも１つである番組情報を取得して、返信する。そして機器コンテンツ情報取得部３１０は、返信された番組情報をコンテンツデータベースサーバ５００から受信することで、番組情報を取得する。
【００６９】
なお機器コンテンツ情報取得部３１０は、電子機器４００により出力される音声の認識を行うことでキーワード情報の取得を行う。また音情報取得部３０４が、周囲音を検知する音センサにより検知された音情報を取得した場合には、機器コンテンツ情報取得部３１０は、取得された音情報（音楽、音声）に基づいて機器コンテンツ情報（音楽情報、キーワード情報）を取得する。
【００７０】
機器特定部３１１は、電子機器４００についての種々の特定処理を行う。例えば操作情報取得部３０６が、電子機器４００の操作情報を取得した場合には、機器特定部３１０は、取得された操作情報に基づいて、電子機器４００の特定処理、電子機器４００の動作状態（電源オン状態、再生状態、放送状態等）や選曲状態や選局状態の特定処理を行う。そして機器コンテンツ情報取得部３１０は、操作情報に基づいて、電子機器４００の動作状態がコンテンツ出力状態（音楽再生状態、テレビ放送状態）であると判断された場合に、機器コンテンツ情報の取得処理を行う。また、操作情報取得部３０６が、電子機器４００のリモコン４６０（操作機器）が出力する操作信号に基づいて操作情報を取得し、操作情報記憶部３２４が操作情報の履歴である操作履歴情報を記憶したとする。この場合には、機器特定部３１１は、記憶された操作履歴情報に基づいて上記の特定処理を行う。
【００７１】
ユーザ状態判断部３１２（ユーザ認識部）は、検知情報取得部３０８により取得された検知情報に基づいてユーザ状態等を判断する。例えば、取得された検知情報に基づいて、ユーザの人物認証や、ユーザと表示部３４０との位置関係の判断や、表示部３４０に対するユーザの視認状態の判断を行う。
【００７２】
ユーザの人物認証は、例えば撮像センサを用いた顔認識処理により実現できる。なお、目の網膜にある毛細血管の模様である網膜を用いたり、黒目の中の放射状の紋様である虹彩を用いて人物認証を行ってもよい。ユーザと表示部３４０の位置関係は、ユーザと表示部３４０との距離や、表示部３４０に対するユーザの視線方向や、表示部３４０に対して設定された検知範囲内にユーザが存在するか否かなどである。視認状態は、ユーザの視野範囲の状態や注視状態などであり、具体的には、ユーザの視野範囲（ビューボリューム）に表示部３４０が入っているか否かや、ユーザが表示部３４０を注視しているか否かなどである。
【００７３】
ユーザの人物認証結果や位置関係や視認状態の情報は、ユーザ状態記憶部（認識結果記憶部）３２６に記憶される。例えば撮像センサによりユーザの顔認識処理が行われた場合には、画像認識の結果（例えばユーザの顔画像等の特徴点情報）が、ユーザ状態記憶部３２６に記憶される。この場合に、これらの状態情報や認識結果情報は、例えばユーザ登録情報に関連づけて記憶される。
【００７４】
登録処理部３１４はユーザの登録処理を行う。例えばユーザ登録情報の設定処理を行う。具体的には、ユーザ登録画面等においてユーザが、操作部３６０やタッチパネルディスプレイを用いてユーザ登録情報を入力した場合に、入力されたユーザ登録情報をユーザに関連づけてユーザ情報記憶部３２８に記憶する。ここでユーザ登録情報は、例えばユーザのＩＤ、パスワードや、ユーザのカスタマイズ情報などを含むことができる。そして表示部３４０にはユーザ登録情報を反映させたコンテンツ画像が表示されることになる。
【００７５】
コンテンツ選択部３１６は、音楽、画像（動画、静止画）、テキスト等の提示コンテンツの選択処理を行う。例えば機器コンテンツ情報取得部３１０が、電子機器４００の機器コンテンツ情報を取得すると、コンテンツ選択部３１６は、取得された機器コンテンツ情報に基づいて、提示コンテンツを選択する。具体的には、機器コンテンツ情報として音楽情報や番組情報が取得されると、取得された音楽情報や番組情報に基づいて提示コンテンツを選択する。例えば音楽情報や番組情報に対応する画像を選択して表示部３４０に出力する。また機器コンテンツ情報取得部３１０が、電子機器４００から出力される音声の認識を行うことでキーワード情報を取得した場合には、コンテンツ選択部３１６は、取得されたキーワード情報に基づいて、提示コンテンツを選択する。更に具体的には、機器コンテンツ情報取得部３１０により番組情報が取得されると共に、番組の音声からキーワード情報が取得された場合には、コンテンツ選択部３１６は、番組情報とキーワード情報とに基づいて、提示コンテンツを選択する。
【００７６】
またコンテンツ選択部３１６は、音センサにより音情報が検知されなかった場合（所定の検知レベルに達しなかった場合）には、音非検知用に用意されたコンテンツ（例えば非検知用のＢＧＭ画像やスライドショー）を選択する。
【００７７】
またコンテンツ選択部３１６は、ユーザ情報記憶部３２８に記憶されたユーザ情報と、機器コンテンツ情報とに基づいて、提示コンテンツを選択してもよい。具体的には、ユーザ状態判断部３１２が、検知情報取得部３０８により取得されたユーザの検知情報に基づいて、ユーザの人物認証（顔画像認識）を行ったとする。この場合にはコンテンツ選択部３１６は、人物認証により特定されたユーザの情報をユーザ情報記憶部３２８から取得し（読み出し）、取得されたユーザ情報と機器コンテンツ情報とに基づいて、提示コンテンツを選択する。即ちユーザ情報（ユーザ登録情報）に応じた適切なコンテンツを選択する。
【００７８】
またコンテンツ選択部３１６は、機器コンテンツ情報に基づいて関連コンテンツを取得し、取得された関連コンテンツを提示コンテンツとして選択してもよい。例えばコンテンツ選択部３１６は、取得された音楽情報や番組情報等の機器コンテンツ情報を、コンテンツデータベースサーバ５００に送信する。そして、関連コンテンツデータベース５０６に記憶されている関連コンテンツをコンテンツデータベースサーバ５００から受信することで、関連コンテンツを取得する。
【００７９】
表示制御部３１８は、表示部３４０の表示制御を行う。例えばコンテンツ情報記憶部３２２に記憶されたコンテンツ画像の情報に基づいて、表示部３４０に画像を表示するための制御（描画バッファへの書き込み処理等）を行う。
【００８０】
例えば機器コンテンツ情報取得部３１０により音楽情報が取得された場合には、表示制御部３１８は、音楽情報である曲名、アルバム名、アーティスト名、音楽ジャンル、或いは曲調に対応する画像を、表示部３４０に表示する制御を行う。また機器コンテンツ情報取得部３１０により番組情報が取得された場合には、表示制御部３１８は、番組情報である番組名、番組のテーマ（ジャンル）、番組内容、出演者、番組の広告、或いはリアルタイム放送情報に対応する画像を、表示部３４０に表示する制御を行う。
【００８１】
２．電子機器の出力コンテンツに連動した画像表示
２．１  オーディオ機器からの音楽に連動した画像表示
本実施形態では、電子機器４００の出力コンテンツに連動した画像をデジタルフォトフレーム３００の表示部３４０に表示する手法を採用している。具体的には電子機器４００の再生音楽に応じてデジタルフォトフレーム３００の表示画像（表示制御）を変化させる。
【００８２】
例えば図３（Ａ）において、電子機器の一例であるオーディオ機器４００-1は、ＣＤを再生したり、ラジオを放送することで、音楽（広義にはコンテンツ）を出力している。
【００８３】
一方、デジタルフォトフレーム３００には、センサ３５０として音センサ（マイクロフォン）が設けられている。そして音センサにより周囲音を検知することで、オーディオ機器４００-1が出力する音の情報を取得する。そしてデジタルフォトフレーム３００は、取得された音情報である音楽データをコンテンツデータベースサーバ５００に送信することで、オーディオ機器４００-1が出力している音楽についての情報である音楽情報（広義には機器コンテンツ情報）を取得する。具体的には、音楽の曲名、アルバム名、アーティスト名、音楽ジャンル或いは曲調等の音楽情報を取得する。なお後述するようにオーディオ機器４００-1とデジタルフォトフレーム３００がホームサーバ等に通信接続されている場合には、オーディオ機器４００-1が再生してる音楽を、オーディオ機器４００-1の操作情報に基づいてホームサーバが特定して、外部又は内部のデータベースから音楽情報を取得してもよい。
【００８４】
デジタルフォトフレーム３００は、このようにして音楽情報を取得すると、取得された音楽情報に基づいて提示コンテンツを選択して画像を表示する。例えば図３（Ａ）では、オーディオ機器４００-1が出力する音楽についての曲名、アルバム名、アーティスト名、ジャンル等を表示している。或いはアルバムのジャケット写真を表示してもよい。これによりユーザは、オーディオ機器４００-1が再生している音楽についての様々な情報を、デジタルフォトフレーム３００の表示部３４０を見ることで知ることができる。
【００８５】
例えばオーディオ機器４００-1は機器のコンパクト化のために、大きなサイズの表示部を備えてないものが多い。従って、再生している音楽についての種々の情報を表示するのには限界がある。
【００８６】
この点、図３（Ａ）の本実施形態の手法によれば、デジタルフォトフレーム３００が有する大きなサイズの表示画面を利用して、オーディオ機器４００-1が再生している音楽についての種々の情報を表示でき、ユーザの利便性を向上できる。
【００８７】
また、これまでのデジタルフォトフレームでは、写真等を自動的にスライド表示するだけの機能しか持たないものが多く、表示画像が単調であり、変化に乏しかった。
【００８８】
この点、図３（Ａ）の手法によれば、オーディオ機器４００-1の出力コンテンツに応じて、デジタルフォトフレーム３００の表示画像が自動的に変化するようになる。従って、ユーザは、多様に変化するデジタルフォトフレーム３００の画像を鑑賞しながら、オーディオ機器４００-1の再生コンテンツを楽しむことができ、多様な画像表現が可能な従来に無いタイプのデジタルフォトフレーム３００の提供が可能になる。
【００８９】
なおオーディオ機器４００-1の再生音楽に対応したデジタルフォトフレーム３００の画像表示としては、種々の変形実施が可能である。例えば図３（Ｂ）に示すように、オーディオ機器４００-1の再生音楽に連動したＣＧ（コンピュータグラフィック）画像を表示してもよい。
【００９０】
例えば図３（Ｂ）では、オーディオ機器４００-1が出力する音楽の曲調に応じてＣＧ画像（エフェクト画像）を変化させている。具体的には音楽の各周波数成分に応じてＣＧ画像の形を変化させている。これは音検知センサで検知された音情報に基づいて音楽の周波数解析を行い、各周波数成分でのパワーを求め、求められたパワーに基づいてＣＧ画像を生成することで実現できる。或いはオーディオ機器４００-1が出力する音楽の音量に応じてＣＧ画像の大きさを変化させたり、音楽の音質に応じてＣＧ画像の色を変化させたり、音楽のリズムに応じてＣＧ画像の動きを変化させてもよい。或いはデジタルフォトフレーム３００がスライドショーを実行している場合には、オーディオ機器４００-1が出力する音楽に応じてスライドショーの切り替え速度を変化させてもよい。例えば再生される音楽がロック系である場合には、激しい動きにして切り替え速度を速くする。一方、ヒーリング系である場合には、柔らかい動きにして切り替え速度をゆっくりにする。
【００９１】
以上のようにすれば、オーディオ機器４００-1の音楽に連動したＣＧ画像が表示されるようになり、ユーザは、音楽に合ったＣＧ画像を見ながら、オーディオ機器４００-1の音楽を鑑賞できるようになる。
【００９２】
なお、オーディオ機器４００-1の再生音楽の関連コンテンツをデジタルフォトフレーム３００に表示するようにしてもよい。例えばオーディオ機器４００-1が出力している音楽のアーティストに関する情報を表示したり、音楽が歌である場合にはその歌詞に関連した情報を表示する。また例えばそのアーティストのコンサートの情報や他のアルバムの情報を表示する。また例えば歌詞の中に「春」のキーワードが多かった場合には、春を表す画像を表示したり、春に関連する情報（例えば花見の情報）を表示する。このようにすることで、デジタルフォトフレーム３００の更に多様な画像表現が可能になる。
【００９３】
２．２  テレビの放送に連動した画像表示
本実施形態では、テレビなどの放送機器からの放送に連動してデジタルフォトフレーム３００の表示画像を変化させてもよい。
【００９４】
例えば図４において、テレビ４００-2は北海道の旅の番組を放送している。この場合にはデジタルフォトフレーム３００は、テレビ４００-2により放送される番組に関する情報である番組情報（広義には機器コンテンツ情報）を取得する。そして、取得された番組情報に基づいて、提示コンテンツを選択して画像を表示する。具体的には番組情報として、例えば番組名、番組のテーマ（ジャンル）、番組内容、出演者、番組の広告、或いはリアルタイム放送情報などを取得する。
【００９５】
この場合の番組情報の取得は、例えば操作信号センサによりリモコン４６０（操作機器）の操作信号を検知して、テレビ４００-2の操作情報を取得することで実現できる。例えばリモコン４６０の操作信号により、放送チャンネルを特定する。そしてこの放送チャンネルをコンテンツデータベースサーバ５００（番組情報データベース）に送信することで、その放送チャンネルでの番組情報を取得する。なお後述するようにテレビ４００-2とデジタルフォトフレーム３００がホームサーバに通信接続されている場合には、ホームサーバが、テレビ４００-2の操作情報を取得し、取得された操作情報に基づいてテレビ４００-2の放送番組を特定して、外部又は内部のデータベースから番組情報を取得してもよい。
【００９６】
デジタルフォトフレーム３００は、このようにして番組情報を取得すると、取得された番組情報に基づいて提示コンテンツを選択して画像を表示する。例えば、番組名や、番組のテーマや、撮影場所等の番組内容や、番組の出演者等を表示する。また例えば図４に示すように北海道の旬の食材等を表示する。
【００９７】
例えばテレビが放送している番組の情報を表示する手法として、テレビ画面の所定領域に番組情報を表示したり、テレビの表示モードを切り替えて表示する手法が考えられる。
【００９８】
しかしながら、テレビ画面の所定領域に番組情報を表示する手法では、テレビ画面の一部の領域が番組情報に占有されてしまい、ユーザにとって見にくい画面になってしまう。またテレビの表示モードを切り替える手法では、ユーザの操作が煩雑になってしまい、利便性を損ねる。
【００９９】
この点、図４の本実施形態の手法によれば、デジタルフォトフレーム３００がテレビ４００-2の補助的な表示装置になって、番組情報を表示する。即ちテレビ４００-2の放送に自動的に連動して、放送に応じた画像がデジタルフォトフレーム３００に表示される。従って、テレビ４００-2の一部の領域が番組情報の表示のために占有されてしまったり、ユーザに表示モードの切り替え操作を強いることがない。従って、テレビ画面が見にくくなったり、ユーザの操作が煩雑になるなどの事態を防止でき、ユーザの利便性を向上できる。
【０１００】
また、本実施形態の手法によれば、テレビ４００-2の出力コンテンツに応じて、デジタルフォトフレーム３００の表示画像が自動的に変化する。従って、ユーザは、テレビ４００-2の放送番組を鑑賞しながら、多様に変化するデジタルフォトフレーム３００の画像も楽しめるようになる。従って、多様な画像表現が可能なデジタルフォトフレーム３００の提供が可能になる。
【０１０１】
なおテレビ４００-2（放送機器、映像機器）の放送番組に応じたデジタルフォトフレーム３００の画像表示としては、種々の変形実施が可能である。例えば図３（Ｂ）と同様に、放送番組の内容やテーマなどに応じたＣＧ画像（エフェクト画像）を表示してもよい。或いは、テレビ４００-2が音楽を放送している場合には、図３（Ａ）に示すような音楽情報を表示してもよい。或いはテレビ４００-2の放送番組の関連コンテンツを表示してもよい。例えば出演者のプロフィールが表示したり、その出演者が出演している他の番組の情報を表示したり、その番組で使用されたお店の情報を表示する。
【０１０２】
或いは、放送番組の出演者等が発話を行うことで、テレビ４００-2から音声が出力された場合には、その音声認識を行うことで発話のキーワード情報を取得する。そして取得されたキーワード情報に基づいて、提示コンテンツを選択して表示する。例えば所定時間内において最も出現頻度が高かったキーワードを抽出して、そのキーワードに対応するコンテンツや関連コンテンツを選択して表示する。
【０１０３】
例えば図５では、テレビ４００-2が出力している放送番組の情報が取得されると共に、出演者の発話のキーワードが取得される。そして番組情報と、番組の音声から取得されたキーワード情報とに基づいて、提示コンテンツを選択する。
【０１０４】
例えば図５では、番組情報として「北海道」「旬の食材」「鮭」「蟹」「ウニ」などのタグ情報が取得されている。また出演者の発話のキーワードとして「蟹」が音声認識により抽出されている。この場合には、出演者の発話のキーワードである「蟹」が、番組情報のタグ情報として設定された「蟹」と一致しているため、デジタルフォトフレーム３００には「蟹」に関するコンテンツが表示される。即ち「蟹」についての詳細情報や関連情報が表示される。このようにすれば、その時の番組のテーマに応じた情報を、デジタルフォトフレーム３００によりユーザに提示できるようになる。
【０１０５】
一方、図６では、番組情報として「蟹」のタグ情報が取得され、出演者の発話のキーワードとして「美味しい」が音声認識処理により抽出されている。この場合には、「蟹」と「美味しい」のＡＮＤ検索により、「おすすめの蟹料理」という内容の提示コンテンツが選択されて、デジタルフォトフレーム３００に表示される。このようにすれば、単に「蟹」の情報を表示したり「おすすめの料理」の情報だけを提示する手法に比べて、デジタルフォトフレーム３００の表示コンテンツのバラエティ度を増すことができ、単調ではない変化に富んだコンテンツ提示が可能になる。
【０１０６】
なお音声認識処理は、人間（出演者、ユーザ）の話す音声言語をコンピュータにより解析し、テキストデータとして抽出する処理である。音声認識処理は、音響分析、認識デコーダ、音響モデル、辞書、言語モデルにより実現される。音響分析では、人間の音声をフーリエ解析等の信号処理により特徴量情報に変換する。認識デコーダでは、特徴量情報に基づいてテキストデータを出力する。具体的には音響情報と言語情報を総合的に判断して音声をテキストデータに変換する。この認識デコーダでの判断処理は、隠れマルコフモデルや動的時間伸縮法などの統計的手法により実現される。辞書は、認識対象の単語（ワード）をデータ化したものであり、音素列と単語を関連づけるものである。言語モデルは、辞書の単語についての確率をデータ化したものである。具体的には各単語の出現確率や接続確率をデータ化する。このような音響分析、認識デコーダ、音響モデル、辞書、言語モデルを用いることで、図５、図６に示すような出演者等の音声を適正に認識できるようになる。
【０１０７】
またテレビ４００-2がスポーツ番組などを放送している場合には、時間経過と共に変化するリアルタイム放送情報をデジタルフォトフレーム３００に表示してもよい。例えば図７では、テレビ４００-2では野球を放送している。この場合には、野球のリアルタイムな試合経過情報をリアルタイム放送情報としてデジタルフォトフレーム３００に表示する。このようにすれば、ユーザは、チームの得点経過や継投情報やホームラン情報などをデジタルフォトフレーム３００により確認できる。即ち、試合経過情報をテレビ４００-2の所定領域に表示したり、ユーザがテレビ４００-2の表示モードを切り替えなくても済むようになるため、ユーザの利便性を向上できる。なおリアルタイム放送情報は図７に示すような試合経過情報に限定されず、例えば株価や選挙や視聴者アンケート結果等の経過情報であってもよい。
【０１０８】
２．３  機器コンテンツ情報とユーザ情報に基づくコンテンツ選択
以上では音楽情報や番組情報などの機器コンテンツ情報に基づいてデジタルフォトフレーム３００の提示コンテンツを選択する手法について説明したが、この機器コンテンツ情報と共にユーザ情報を用いて、提示コンテンツを選択してもよい。
【０１０９】
例えば図８（Ａ）では、ユーザ登録情報として、ユーザのＩＤ、パスワード、ユーザの趣味・嗜好等が入力される。例えば図８（Ａ）では、ユーザの趣味・嗜好がコンサート鑑賞であることが入力されている。そして入力されたユーザ登録情報は、ユーザ情報として図２のユーザ情報記憶部３２８に記憶される。なお趣味・嗜好等以外にも、ユーザのお気に入りの情報、画面モードの設定、スライド表示方法、文字フォント、文字サイズ、言語等を、ユーザ登録情報として入力できるようにしてもよい。
【０１１０】
このようなユーザ登録情報を入力した後に、図８（Ｂ）に示すように、ユーザの顔画像の認識結果を登録する。具体的には、顔検出を行い、顔領域ＦＡＲを検出する。次に顔領域ＦＡＲに映ったユーザの画像に対する画像認識処理を行い、ユーザの顔画像の特徴点データを抽出する。そして、抽出された特徴点データを顔画像の認識結果として、例えば図８（Ａ）で説明したユーザ登録情報と関連づけて登録する。このようにして、ユーザの登録処理が実現される。
【０１１１】
このようにデジタルフォトフレーム３００にユーザ登録情報が登録された状態で、図９（Ａ）に示すようにオーディオ機器４００-1から音楽が出力され、音楽情報が取得されたとする。この場合には、取得された音楽情報とユーザ登録情報（広義にはユーザ情報）とに基づいて、デジタルフォトフレーム３００の提示コンテンツを選択する。具体的には図８（Ａ）では、ユーザの趣味・嗜好がコンサート鑑賞であることがユーザ登録情報として入力されている。従って、この場合には、音楽情報に対応する複数の候補コンテンツの中から、その音楽のアーティストが出演するコンサート情報を紹介するコンテンツが選択される。また例えば図８（Ａ）のユーザ登録画面において、ユーザの趣味・嗜好として料理を入力し、図９（Ｂ）に示すようにテレビ４００-2がレストラン番組を放送したとする。この場合には、番組情報に対応する複数のコンテンツの中から、料理のレシピ情報を紹介するコンテンツが選択される。以上のようにすることで、ユーザの趣味・嗜好を反映したコンテンツが自動的に選択されて、デジタルフォトフレーム３００に表示されるようになるため、ユーザの利便性を向上できる。
【０１１２】
例えばこのようなコンサート情報をユーザが取得する手法として、ユーザが視聴しているアーティストのコンサート情報や料理のレシピ情報をＰＣ（パーソナルコンピュータ）等を利用して検索したり、デジタル放送に表示されるリンク先にユーザがアクセスする手法が考えられる。しかしながら、この手法では、ユーザは種々の操作をしなければならず、ユーザにとって手間になる。
【０１１３】
この点、図９（Ａ）、図９（Ｂ）の手法によれば、予めユーザ登録情報を入力しておくことで、ユーザが意識しなくても、音楽情報や番組情報に対応する候補コンテンツの中から、ユーザの趣味・嗜好に応じたコンテンツが自動的に選択されて、デジタルフォトフレーム３００に表示されるようになる。従って、ユーザの利便性を向上でき、ユーザの趣味・嗜好を反映させたコンテンツを表示できるデジタルフォトフレーム３００の提供が可能になる。
【０１１４】
なお図８（Ａ）〜図９（Ｂ）では、ユーザが入力したユーザ登録情報と、音楽情報や放送情報などの機器コンテンツ情報とに基づいてコンテンツを選択する場合について説明したが、本実施形態はこれに限定されない。例えばユーザの嗜好や行動の傾向等を反映させたユーザの感性モデルの構築し、この感性モデル（広義にはユーザ情報）と機器コンテンツ情報とに基づいてコンテンツを選択してもよい。
【０１１５】
即ち、ユーザの操作履歴情報やコンテンツの提示履歴情報等に基づいて感性モデルを更新することでユーザの感性モデルを構築する。このようにすれば、ユーザが意識することなく、各ユーザ毎の感性モデルを構築することが可能になる。そして、このようにして構築された感性モデルと、機器コンテンツ情報とに基づいて、コンテンツを選択することで、ユーザの感性モデルに適合したコンテンツの提示が可能になる。
【０１１６】
なお、感性モデルとしては確率モデルを用いることができ、このような確率モデルとしては例えば隠れマルコフモデル（Hidden Markov Model）がある。この隠れマルコフモデル（ＨＭＭ）では、システムが、パラメータが未知のマルコフ過程であると仮定して、観測可能な情報からその未知のパラメータを推定する。即ち、ＨＭＭは、あるシステムがマルコフ過程に従って遷移する内部状態を持ち、各状態に応じた記号を確率的に出力すると考えた場合に、記号の出現確率分布からシステム内部の状態遷移を推定する確率モデルである。外部から観測できるのは記号の系列だけであり、内部の状態遷移が直接観測できないところから「隠れ」と呼ばれる。
【０１１７】
また図９（Ａ）、図９（Ｂ）のようにユーザ情報に応じたコンテンツを提示する場合には、撮像センサ等のセンサ３５０により、検知されたユーザが登録ユーザであるか否かの人物認証を行ってもよい。そして、人物認証により特定されたユーザ情報をユーザ情報記憶部３２８から読み出し、読み出されたユーザ情報と機器コンテンツ情報とに基づいて、コンテンツを選択する。具体的には、撮像センサにより、ユーザと表示部３４０との位置関係（距離等）を判定する。そして、ユーザがデジタルフォトフレーム３００に近づいたと判定された場合に、そのユーザの人物認証により得られたユーザ情報と、音楽情報や放送情報などの機器コンテンツ情報とに基づいて、コンテンツを選択する。
【０１１８】
例えば図１０（Ａ）、図１０（Ｂ）に、ユーザと表示部３４０の間の位置関係である距離の検出手法の一例を示す。図１０（Ａ）、図１０（Ｂ）では、センサ３５０として、ＣＣＤ、ＣＭＯＳセンサなどの撮像センサ（カメラ）を用いる。そして撮像センサからの撮像情報に基づいて、矩形の枠領域である顔領域ＦＡＲを検出し、検出された顔領域ＦＡＲのサイズを求める。そして求められたサイズに基づいて、ユーザと表示部３４０との間の距離を判断する。
【０１１９】
例えば図１０（Ａ）では、顔領域ＦＡＲのサイズが小さいため（所定サイズ以下であるため）、ユーザとの距離は遠いと判断される。従って、この場合には、例えばデジタルフォトフレーム３００の表示をオフにする。一方、図１０（Ｂ）では、顔領域ＦＡＲのサイズが大きいため（所定サイズよりも大きいため）、ユーザとの距離は近いと判断される。そして、このようにユーザとの距離が近くなって、ユーザがデジタルフォトフレーム３００に近づいたと判断された場合に、図９（Ａ）、図９（Ｂ）に示すように、ユーザ情報と機器コンテンツ情報とに基づく提示コンテンツを選択して、ユーザに提示する。
【０１２０】
ここで顔領域の検出手法としては種々の手法が考えられる。例えば、顔検出を行うためには、撮像センサで撮影された撮像画像において、顔がある場所と他の物体とを区別して、顔領域を切り出す必要がある。顔は、目、鼻、口等から構成され、これらの形状・位置関係は個人差はあるものの、ほぼ共通した特徴を有する。そこで、この共通な特徴を用いて、顔を他の物体から識別して画面の中から切り出す。このための手がかりとしては、肌の色、顔の動き、形、大きさ等がある。肌の色を用いる場合には、ＲＧＢデータを色相・輝度・彩度からなるＨＳＶデータに変換し、人の肌の色相を抽出する手法を採用する。
【０１２１】
或いは、多数の人の顔パターンから生成した平均顔パターンを顔テンプレートとして作成してもよい。そして、この顔テンプレートを撮像画像の画面上で走査して、撮像画像との相関を求め、最も相関値が高い領域を顔領域として検出する。
【０１２２】
なお検出精度を高めるため、複数の顔テンプレートを辞書データとして用意し、これらの複数の顔テンプレートを用いて顔領域を検出してもよい。或いは目、鼻、口の特徴や、これらの位置関係や、顔の中のコントラストなどの情報も考慮して、顔領域を検出してもよい。或いは、ニューラルネットワークモデルを用いた統計的なパターン認識により顔領域を検出することも可能である。
【０１２３】
図１０（Ａ）、図１０（Ｂ）の検出手法によれば、顔領域ＦＡＲのサイズによりユーザと表示部３４０の距離を検出できるのみならず、ユーザが表示部３４０を見ているか否かも同時に検出できるという利点がある。即ち、ユーザの視線が表示部３４０の方に向いていなかった場合には、顔テンプレートとの相関値が低くなるため、顔領域ＦＡＲは非検出になる。従って、顔領域ＦＡＲが検出されたということは、ユーザの視線が表示部３４０の方に向いており、ユーザの視野範囲内に表示部３４０が入っていることと等価になる。そして、この状態で、顔領域ＦＡＲのサイズを検出して、図９（Ａ）、図９（Ｂ）に示すようにコンテンツを提示すれば、表示部３４０を見ているユーザに対して適切にコンテンツ画像を表示できるようになる。これにより、これまでにないデジタルフォトフレーム３００を提供できる。
【０１２４】
３．詳細な処理例
次に本実施形態の詳細な処理例について図１１〜図１３のフローチャートを用いて説明する。図１１は、音センサにより取得された音情報に基づいて音楽情報を取得して、音楽情報に対応するコンテンツ画像を表示する処理例のフローチャートである。
【０１２５】
まず、デジタルフォトフレーム３００等に設けられた音センサにより周囲音を検知する（ステップＳ１）。そして、音が検知されなかった場合（検知された音のレベルが所定レベルよりも小さい場合）には、音非検知用のコンテンツをデジタルフォトフレーム３００の表示部３４０に表示する（ステップＳ２、Ｓ３）。具体的には、デジタルフォトフレーム３００が例えば安らぎモードに設定され、音非検知用のＢＧＭ画像（バックグランド画像）やスライドショーを表示する。
【０１２６】
一方、音が検知された場合（検知された音のレベルが所定レベル以上の場合）には、音センサにより取得された音情報から音楽データが取得される（ステップＳ４）。そして取得された音楽データを、例えば外部サーバ等であるコンテンツデータベースサーバ５００（音楽情報データベース）に送信する（ステップＳ５）。
【０１２７】
次に、コンテンツデータベースサーバ５００において、送信された音楽データと、音楽情報データベースに登録された音楽データとのマッチング処理が行われる。そして、マッチング処理より得られた音楽情報（曲名、アルバム名、アーティスト名、音楽ジャンル、曲調等）をコンテンツデータベースサーバ５００が送信すると、デジタルフォトフレーム３００は、その音楽情報を受信して取得する（ステップＳ６）。
【０１２８】
次に取得された音楽情報に対応する画像（例えば曲・アーティスト・ジャンル・曲調に合った画像）を選択する（ステップＳ７）。例えば、外部又は内部の画像データベースの登録画像の中から、音楽情報に対応する画像を抽出する。具体的には、画像データベースの登録画像にはタグが関連づけられており、そのタグが、音楽情報のタグと一致する登録画像を検索することで、音楽情報に対応する画像を抽出する。そして選択された画像を提示コンテンツとしてデジタルフォトフレーム３００の表示部３４０に表示する（ステップＳ８）。このようにすることで図３（Ａ）、図３（Ｂ）等で説明したように、電子機器から出力される音楽に対応したコンテンツ画像をデジタルフォトフレーム３００に表示できるようになる。
【０１２９】
図１２は、リモコンの操作情報に基づいて電子機器を特定し、特定された電子機器が出力する音楽の情報に対応するコンテンツ画像を表示する処理例のフローチャートである。
【０１３０】
まず、音センサにより周囲音を検知し、音が検知されなかった場合には音非検知用のコンテンツを表示する（ステップＳ１１、Ｓ１２、Ｓ１３）。一方、音が検知された場合には、リモコン４６０の操作履歴情報（広義には操作情報）に基づいて、音を出力している電子機器を特定する（ステップＳ１４）。例えば音を出力している電子機器が、オーディオ機器なのかテレビなのか等を特定する。またリモコン４６０の操作履歴情報に基づいて電子機器の動作状態（電源オン状態、音楽再生状態等）や選曲状態等を特定する（ステップＳ１５）。そして、特定されたオーディオ機器等の電子機器の動作状態が、音楽の再生状態（曲が選曲されて再生ボタンが押されている状態）か否かを判断し（ステップＳ１６）、再生状態ではない場合には、ステップＳ１３に移行する。一方、再生状態である場合には、音センサにより検知された音情報から音楽データを取得する（ステップＳ１７）。そして、取得された音楽データをコンテンツデータベースサーバ５００に送信して音楽情報を取得し、音楽情報に応じた画像を提示コンテンツとして選択して、表示部３４０に表示する（ステップＳ１８〜Ｓ２１）。
【０１３１】
このように図１２では、電子機器の操作情報（操作履歴情報）に基づいて、電子機器の特定処理、電子機器の動作状態の特定処理、電子機器の選曲状態の特定処理等を行う（ステップＳ１４、Ｓ１５）。そして操作情報に基づいて、電子機器の動作状態が再生状態（広義にはコンテンツ出力状態）であると判断された場合に、音楽情報等の機器コンテンツ情報の取得処理を行う（ステップＳ１６、Ｓ１７）。
【０１３２】
このように電子機器の操作情報を用いる手法によれば、音センサにより検知された音情報だけを用いる手法に比べて、より正確且つ確実に音楽情報等の機器コンテンツ情報を取得できるようになる。例えば、音を出力している電子機器がＣＤプレーヤ等のオーディオ機器であることが特定され、そのオーディオ機器が電源がオンになっていて、音楽の再生状態（リモコンの再生ボタンが押された状態）であることが特定されれば、音センサにより検知された音情報は、オーディオ機器が出力する音楽データであることを、より正確に特定できる。そしてその音楽データにより取得された音楽情報に対応する画像を、オーディオ機器に連動した画像としてユーザに表示できるようになる。
【０１３３】
この場合に、コンテンツを出力している電子機器の特定やその動作状態の特定に用いる情報は、操作情報の履歴情報である操作履歴情報であることが望ましい。即ち、操作信号センサにより、リモコン４６０が出力する赤外線信号等の操作信号を常時モニタして、その履歴を記憶しておく。例えば「電源オンボタンが押された」、「再生ボタンが押された」、「選局ボタンが押された」、「電源オフボタンが押された」などの操作履歴の情報を記憶しておく。このような操作履歴情報を利用すれば、電子機器の現在の状態がどのような状態なのか（電源をオンにした状態なのか、再生ボタンを押した状態なのか、電源をオフにした状態なのか等）を正確に把握できるようになる。従って、コンテンツを出力している電子機器の特定やその動作状態の特定処理を、より正確且つ確実に実現できるようになる。これにより、コンテンツを出力している電子機器を間違って特定し、誤った画像がデジタルフォトフレーム３００に表示されてしまう事態を防止できる。
【０１３４】
図１３は、リモコンの操作情報に基づいて電子機器を特定し、特定された電子機器が出力する放送番組の情報に対応するコンテンツ画像や関連コンテンツ画像を表示する処理例のフローチャートである。
【０１３５】
まず、音センサにより周囲音を検知し、音が検知されなかった場合には音非検知用のコンテンツを表示する（ステップＳ３１、Ｓ３２、Ｓ３３）。一方、音が検知された場合には、リモコン４６０の操作履歴情報（操作情報）に基づいて、音を出力している電子機器を特定する（ステップＳ３４）。またリモコン４６０の操作履歴情報に基づいて電子機器の動作状態や選局状態等を特定する（ステップＳ３５）。そして、特定されたテレビ等の電子機器の動作状態が、番組放送中（チャンネルが選局されてが番組が放送されている状態）か否かを判断し（ステップＳ３６）、放送状態ではない場合には、ステップＳ３３に移行する。一方、放送状態（コンテンツ出力状態）である場合には、コンテンツデータベースサーバ５００（番組情報データベース）から番組情報を取得する（ステップＳ３７）。例えば放送番組の番組名、番組のテーマ、番組内容、出演者、番組のＣＭ広告、リアルタイム放送情報等を取得する。
【０１３６】
次に、音センサにより検知された音情報から音声データや音楽データを取得する（ステップＳ３８）。即ち番組の出演者等が発話する音声のデータや、番組で放送されている音楽のデータを取得する。そして、取得された音声データから、音声認識処理によりキーワードを取得し、取得された音楽データから音楽情報を取得する（ステップＳ３９）。例えば音楽情報はコンテンツデータベースサーバ５００から取得できる。
【０１３７】
次に、ステップＳ３７で取得された番組情報と、ステップＳ３９で取得されたキーワードや音楽情報と、図８（Ａ）、図８（Ｂ）で説明したユーザ情報（ユーザ登録情報やユーザの感性モデル）とに基づいて、コンテンツを選択する（ステップＳ４０）。更に、番組のコンテンツの関連コンテンツを外部サーバ等から取得する（ステップＳ４１）。具体的には、番組のテーマ内容に関連した付加情報や画像等の関連コンテンツを取得する。そしてステップＳ４０で選択されたコンテンツや、ステップＳ４１で取得された関連コンテンツを、提示コンテンツとしてデジタルフォトフレーム３００によりユーザに表示する（ステップＳ４２）。
【０１３８】
図１３の手法によれば、図４で説明したようにテレビ４００-2により放送されている番組情報をユーザに表示できる。また図５、図６で説明したように、番組の出演者の発話のキーワードに応じたコンテンツをユーザに表示できる。また図７に示すようなリアルタイム放送情報についても表示できる。また図８（Ａ）〜図９（Ｂ）で説明したように、ユーザ登録情報などのユーザ情報も加味したコンテンツの提示が可能になり、これまでに無いタイプのデジタルフォトフレームの提供が可能になる。
【０１３９】
４．変形例
次に本実施形態の変形例について説明する。図１４に本実施形態の変形例を示す。この変形例のシステムでは、ホームサーバ２００（広義には情報処理システム）が設けられている。このホームサーバ２００は、処理部２０２、記憶部２２０、通信部２３８、操作部２６０を含む。なおこれらの一部の構成要素を省略したり、他の構成要素を追加するなどの種々の変形実施が可能である。なお、図２と同様の構成要素については、同様の符号を付してその説明を省略する。
【０１４０】
処理部２０２は、サーバ管理処理などの各種の処理を行うものであり、ＣＰＵ等のプロセッサやＡＳＩＣなどにより実現できる。記憶部２２０は、処理部２０２や通信部２３８のワーク領域となるものであり、例えばＲＡＭやＨＤＤ等により実現できる。通信部２３８は、オーディオ機器４００-1、テレビ４００-2などの電子機器や、デジタルフォトフレーム３００や、外部サーバ６００との間で、有線又は無線で通信を行うためのものであり、通信用ＡＳＩＣ又は通信用プロセッサなどにより実現できる。操作部２６０は、サーバの管理者が各種情報を入力するためのものである。
【０１４１】
図１４では、オーディオ機器４００-1、テレビ４００-2、デジタルフォトフレーム３００と、ホームサーバ２００は、例えば無線ＬＡＮ等のネットワークで通信接続される。また図１４では、センサ２５０として、家の各場所に設置されるホームセンサが用いられる。そして、ホームサーバ２００はセンサ２５０からの検知情報を取得し、取得された検知情報は記憶部２２０に記憶される。
【０１４２】
処理部２０２は、音情報取得部２０４、操作情報取得部２０６、検知情報取得部２０８、機器コンテンツ情報取得部２１０、機器特定部２１１、ユーザ状態判断部２１２、登録処理部２１４、コンテンツ選択部２１６、表示指示部２１８を含む。なおこれらの一部の構成要素（例えば音情報・操作情報・検知情報取得部、ユーザ状態判断部、登録処理部等）を省略したり、他の構成要素を追加するなどの種々の変形実施が可能である。
【０１４３】
音情報取得部２０４は、音センサで検知された音情報を取得する。この音情報は、ホームセンサ２５０として設けられた音センサで周囲音を検知することで取得してもよいし、デジタルフォトフレーム３００の音センサで検知された音情報を、通信部３３８、２３８を介してデジタルフォトフレーム３００から受信することで取得してもよい。
【０１４４】
操作情報取得部２０６は、例えばオーディオ機器４００-1の操作部４６０-1やテレビ４００-2の操作部４６０-2をユーザが操作した場合に、その操作情報を取得する。この操作情報は、電子機器のリモコンの操作信号を、デジタルフォトフレーム３００の操作信号センサにより検知することで取得してもよい。或いは、操作部４６０-1、操作部４６０-2の操作情報を、通信部４３８-1、４３８-2、２３８を介してオーディオ機器４００-1、テレビ４００-2から受信することで取得してもよい。
【０１４５】
検知情報取得部２０８は、ユーザの検知情報を取得する。この検知情報は、ホームセンサ２５０として設けられたユーザ検知センサにより取得してもよいし、デジタルフォトフレーム３００のセンサ３５０で検知された音情報を、通信部３３８、２３８を介してデジタルフォトフレーム３００から受信することで取得してもよい。
【０１４６】
機器コンテンツ情報取得部２１０は、電子機器により出力されるコンテンツに関する情報である機器コンテンツ情報を取得する。例えばオーディオ機器４００-1により出力される音楽の情報を取得したり、テレビ４００-2により出力される放送番組の情報を取得する。この音楽情報や番組情報は、通信部２３８を介して外部サーバ６００のコンテンツデータベースにアクセスすることで取得できる。
【０１４７】
機器特定部２１１は、操作情報取得部２０６により取得された操作情報に基づいて、オーディオ機器４００-1やテレビ４００-2などの電子機器の特定処理、その動作状態や選曲状態や選局状態の特定処理を行う。そして機器コンテンツ情報取得部２１０は、操作情報に基づいて電子機器がコンテンツ出力状態であると判断された場合に、機器コンテンツ情報の取得処理を行う。
【０１４８】
ユーザ状態判断部２１２は、ホームセンサ２５０等により取得されたユーザ検知情報に基づいて、ユーザの人物認証を行ったり、ユーザとの位置関係や視認状態や発話状態等を判断する。登録処理部２１４は、図８（Ａ）、図８（Ｂ）で説明したユーザの登録処理を行う。
【０１４９】
コンテンツ選択部２１６は、機器コンテンツ情報取得部２１０により取得された機器コンテンツ情報に基づいて、提示コンテンツの選択処理を行う。そして表示指示部２１８は、選択された提示コンテンツに基づいて、デジタルフォトフレーム３００の表示部３４０に表示される画像の表示指示を行う。具体的にはコンテンツ選択部２１６により選択されたコンテンツの画像を表示部３４０に表示するための指示を行う。そしてデジタルフォトフレーム３００の表示制御部３１８は、表示指示部２１８からの指示にしたがって、表示部３４０の表示制御を行う。これにより、機器コンテンツ情報に基づき選択された提示コンテンツが表示部３４０に表示されるようになる。
【０１５０】
図１４の変形例によれば、機器コンテンツ情報の取得処理や、コンテンツを出力している電子機器の特定処理や、コンテンツの選択処理等をホームサーバ２００が行うため、デジタルフォトフレーム３００の処理負荷を軽減できる。従って、デジタルフォトフレーム３００の処理部３０２（ＣＰＵ）の処理能力が低い場合も、本実施形態の処理を実現できるようになる。なお、これらの処理を、ホームサーバ２００とデジタルフォトフレーム３００の分散処理により実現してもよい。
【０１５１】
なお、上記のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語（機器コンテンツ情報、操作機器等）と共に記載された用語（音楽情報・番組情報、リモコン等）は、明細書又は図面のいかなる箇所においても、その異なる用語に置き換えることができる。またデジタルフォトフレーム、情報処理システムの構成、動作や、機器コンテンツ情報の取得手法、コンテンツの選択手法等も本実施形態で説明したものに限定に限定されず、種々の変形実施が可能である。
【符号の説明】
【０１５２】
２００  サーバ、２０２  処理部、２０４  音情報取得部、２０６  操作情報取得部、
２０８  検知情報取得部、２１０  機器コンテンツ情報取得部、２１１  機器特定部、
２１２  ユーザ状態判断部、２１４  登録処理部、２１６  コンテンツ選択部、
２１８  表示指示部、２２０  記憶部、２３８  通信部、２５０  ホームセンサ、
２６０  操作部、３００  デジタルフォトフレーム、３０２  処理部、
３０４  音情報取得部、３０６  操作情報取得部、３０８  検知情報取得部、
３１０  機器コンテンツ情報取得部、３１１  機器特定部、３１２  ユーザ状態判断部、
３１４  登録処理部、３１６  コンテンツ選択部、３１８  表示制御部、
３２０  記憶部、３２２  コンテンツ情報記憶部、３２３  音情報記憶部、
３２４  操作情報記憶部、３２５  検知情報記憶部、３２６  ユーザ状態記憶部、
３２８  ユーザ情報記憶部、３３０  情報記憶媒体、３３８  通信部、３４０  表示部、
３５０  センサ、３６０  操作部、４００  電子機器、４００-1  オーディオ機器、
４００-2  テレビ、４０２  処理部、４２０  記憶部、４４０  表示部、
４４２  音出力部、４５０  センサ、４６０  リモコン（操作機器）
【図１】
2010183159.tif 000003
【図２】
2010183159.tif 000004
【図３】
2010183159.tif 000005
【図４】
2010183159.tif 000006
【図５】
2010183159.tif 000007
【図６】
2010183159.tif 000008
【図７】
2010183159.tif 000009
【図８】
2010183159.tif 000010
【図９】
2010183159.tif 000011
【図１０】
2010183159.tif 000012
【図１１】
2010183159.tif 000013
【図１２】
2010183159.tif 000014
【図１３】
2010183159.tif 000015
【図１４】
2010183159.tif 000016